【手続補正書】
【提出日】平成26年12月3日(2014.12.3)
【手続補正１】
【補正対象書類名】明細書
【補正対象項目名】００２７
【補正方法】変更
【補正の内容】
【００２７】
本発明の版面保護液組成物には、更に皮膜形成性を有する水溶性高分子化合物を加えることが好ましい。水溶性高分子化合物としては、例えば、アラビアガム、繊維素誘導体（例えばカルボキシメチルセルロース、カルボキシエチルセルロース、メチルセルロース、ヒドロキシプロピルセルロース等）及びその変性体、ポリビニルアルコール及びその誘導体、ポリビニルピロリドン、ポリアクリルアミド及びその共重合体、ビニルメチルエーテル／無水マレイン酸共重合体、酢酸ビニル／無水マレイン酸共重合体、スチレン／無水マレイン酸共重合体、水溶性大豆多糖類、澱粉誘導体（例えばデキストリン、酵素分解デキストリン、ヒドロキシプロピル化澱粉酵素分解デキストリン、カルボキシメチル化澱粉、リン酸化澱粉、サイクロデキストリン）、プルラン及びプルラン誘導体、大豆から抽出されるヘミセルロース等などが挙げられる。これら水溶性高分子の含有量は版面保護液組成物の総質量に対して０．１〜３０質量％が好ましく、１〜２０質量％であることが特に好ましい。
【手続補正２】
【補正対象書類名】明細書
【補正対象項目名】００３９
【補正方法】変更
【補正の内容】
【００３９】
他にも本発明の版面保護液組成物には防腐剤、消泡剤などの添加物を加えてもよい。例えば防腐剤としてはフェノール又はその誘導体、ホルマリン、フェノールホルマリン、イミダゾール誘導体、デヒドロ酢酸ナトリウム、４−イソチアゾリン−３−オン誘導体、ベンゾインチアゾリン−３−オン、ベンズトリアゾール誘導体、アミジングアニジン誘導体、四級アンモニウム塩類、ピリジン、キノリン、グアニジン等の誘導体、ダイアジン、トリアゾール誘導体、オキサゾール、オキサジン誘導体、ニトロアルコール誘導体、安息香酸又はその誘導体等が挙げられる。好ましい添加量は、細菌、カビ、酵母等に対して、安定に効力を発揮する量であって、細菌、カビ、酵母の種類によっても異なるが、版面保護組成物総量に対して０．００１〜１質量％の範囲が好ましく、また種々のカビ、細菌に対して効力のあるように２種以上の防腐剤を併用することが好ましい。また、消泡剤としてはシリコーン消泡剤が好ましい。その中で乳化分散型及び可溶化等がいずれも使用できる。添加量は版面保護液組成物総量に対して０．００１〜１質量％の範囲であることが好ましい。当該版面保護液組成物処理が施された後、平版印刷版は乾燥され、印刷刷版として印刷に使用される。
【手続補正３】
【補正対象書類名】明細書
【補正対象項目名】００５２
【補正方法】変更
【補正の内容】
【００５２】
＜第１の画像記録層＞
平版印刷版前駆体を構成する第１の画像記録層は、アルカリ性水溶液に可溶性又は分散性の樹脂を含む。
アルカリ性水溶液に可溶性又は分散可能であるために、前記樹脂は少なくとも、水酸基、カルボキシル基、スルホン酸基、リン酸基、イミド基、アミド基等の官能基を有することが好ましい。したがって、アルカリ性水溶液に可溶性又は分散性の樹脂は、水酸基、カルボキシル基、スルホン酸基、リン酸基、イミド基、アミド基及びその組合せ等の官能基を有するエチレン性不飽和モノマーを１つ以上含むモノマー混合物を重合することによって好適に生成することができる。
【手続補正４】
【補正対象書類名】明細書
【補正対象項目名】００６２
【補正方法】変更
【補正の内容】
【００６２】
メチルメタクリレート、エチルメタクリレート、プロピルメタクリレート、イソプロピルメタクリレート、アリルメタクリレート、アミルメタクリレート、ヘキシルメタクリレート、シクロヘキシルメタクリレート、ベンジルメタクリレート、クロロベンジルメタクリレート、オクチルメタクリレート、４−ヒドロキシブチルメタクリレート、５−ヒドロキシペンチルメタクリレート、２，２−ジメチル−３−ヒドロキシプロピルメタクリレート、トリメチロールプロパンモノメタクリレート、ペンタエリスリトールモノメタクリレート、グリシジルメタクリレート、フルフリルメタクリレート、テトラヒドロフルフリルメタクリレートのようなメタクリル酸エステル類；
【手続補正５】
【補正対象書類名】明細書
【補正対象項目名】００６７
【補正方法】変更
【補正の内容】
【００６７】
Ｎ−メチルメタクリルアミド、Ｎ−エチルメタクリルアミド、Ｎ−プロピルメタクリルアミド、Ｎ−ブチルメタクリルアミド、Ｎ−ｔ−ブチルメタクリルアミド、Ｎ−エチルヘキシルメタクリルアミド、Ｎ−ヒドロキシエチルメタクリルアミド、Ｎ−シクロヘキシルメタクリルアミドのようなＮ−アルキルメタクリルアミド類；
【手続補正６】
【補正対象書類名】明細書
【補正対象項目名】００８８
【補正方法】変更
【補正の内容】
【００８８】
ジイソシアナートとしては、４，４’−ジフェニルメタンジイソシアナート、キシリレンジイソシアナート、ナフチレン−１，５−ジイソシアナート、テトラメチルキシレンジイソシアナート、ヘキサメチレンジイソシアナート、トルエン−２，４−ジイソシアネート、イソホロンジイソシアナート、水添キシリレンジイソシアナート、ジシクロヘキシルメタンジイソシアナート、ノルボルネンジイソシアナート、トリメチルヘキサメチレンジイソシアナート、ダイマー酸ジイソシアナートなどが挙げられる。
【手続補正７】
【補正対象書類名】特許請求の範囲
【補正対象項目名】全文
【補正方法】変更
【補正の内容】
【特許請求の範囲】
【請求項１】
平版印刷版前駆体を像様露光する工程、
前記像様露光された平版印刷版前駆体を、アルカリ現像液で現像する工程、及び
前記現像された平版印刷版を、側鎖にポリエーテル鎖を有するポリシロキサン化合物を含むことを特徴とする平版印刷版用版面保護液組成物で処理する工程、
を含む平版印刷版の処理方法。
【請求項２】
前記ポリシロキサン化合物が、前記版面保護液組成物の総量に対して、０．１〜２．０質量％の量で含まれている請求項１記載の平版印刷版の処理方法。
【請求項３】
前記ポリシロキサン化合物が次式（Ｉ）によって表される請求項１記載の平版印刷版の処理方法。
【化１】
2013116610.tif 000001
(上記式中、
Ｒ1、Ｒ2、Ｒ3、Ｒ4、Ｒ5、Ｒ6及びＲ7は、独立してＨ又は炭素数１〜２０のアルキル基であり、
Ａは、−Ｒ−（Ｃ2Ｈ4Ｏ）a（Ｃ3Ｈ6Ｏ）b−Ｒ’で表され、
ここで、Ｒは、炭素数１〜２０のアルキレン又は炭素数６〜１４のアリーレンであり、Ｒ’は、Ｈ又は炭素数１〜４のアルキル基であり、ａは、０〜２００であり、ｂは、０〜２００であるが、ａ及びｂが同時に０となる場合はない、そしてｍ、ｎは１から１２００の整数である。）
【請求項４】
前記式（Ｉ）において、Ｒ1、Ｒ2、Ｒ3、Ｒ4、Ｒ5、Ｒ6及びＲ7が、メチル基、エチル基、プロピル基及びブチル基から成る群より選ばれ、ａが０〜１００であり、ｂが０〜１００である請求項３に記載の平版印刷版の処理方法。
【請求項５】
前記式（Ｉ）において、ｍが１〜１０５０であり、ｎが１〜２００である請求項３又は４に記載の平版印刷版の処理方法。
【請求項６】
前記平版印刷版前駆体が、赤外感光性平版印刷版前駆体である請求項１に記載の平版印刷版の処理方法。
【請求項７】
前記平版印刷版前駆体が、ポジ型赤外感光性平版印刷版前駆体である請求項１に記載の平版印刷版の処理方法。
【請求項８】
前記現像液が、ｐＨ１２以下あり、且つシリケートを含まないアルカリ溶液である請求項１〜７のいずれか１項に記載の平版印刷版の処理方法。